(57)【要約】【課題】容易な配線工事により設置可能であって、ＨＡ制御信号の受信により熱源機に対して複数種類の運転の実行を指示することができるリモコン装置を、コストを抑えて提供する。【解決手段】使用者によるＨＡ選択スイッチ８０とＵＰスイッチ７０及びＤＯＷＮスイッチ７１の操作に応じて、湯張り運転と床暖房運転と温風暖房運転とに対して、異なる時間帯を個別に割り当てる時間帯割当手段１０２と、各時間帯において、ＨＡコントローラからＨＡ端子２を介してＨＡ制御信号を受信したときに、該ＨＡ制御信号を受信した時刻が属する時間帯が割り当てられた運転が停止中であったときは熱源機に対して該運転の開始を指示する信号を送信し、該運転が実行中であったときには熱源機に対して該運転の停止を指示する信号を送信する熱源機操作手段１０１とを備える。【選択図】  図２
2008128501.tif 000002
【特許請求の範囲】
【請求項１】
加熱生成した温水の供給を伴う複数種類の運転を実行する熱源機を遠隔操作する熱源機操作手段と、使用者の通信端末機とネットワークを介して通信を行うホームオートメーション（ＨＡ）システムのコントローラとケーブルにより接続して、該通信端末機から受信した運転指示信号に応じて該コントローラから送信される、運転指示対象である端末機器の動作状態と停止状態との切換えを指示するＨＡ制御信号を受信すると共に、該端末機器が動作状態であるか停止状態であるかを示すＨＡモニタ信号を該コントローラに送信するための１個のＨＡ端子とを有する熱源機のリモコン装置であって、
計時手段と、
前記複数種類の運転に対して、異なる時間帯を個別に割り当てる時間帯割当手段とを備え、
前記熱源機操作手段は、前記計時手段による計時時刻が前記時間帯のいずれかに属しているときに、該計時時刻が属する時間帯が割り当てられた運転が停止中の状態で、前記コントローラから前記ＨＡ端子を介して前記ＨＡ制御信号を受信したときには、該運転を前記熱源機に実行させることを特徴とする熱源機のリモコン装置。
【請求項２】
前記計時手段による計時時刻が前記時間帯のいずれかに属しているときに、該計時時刻が属する時間帯が割り当てられた運転が停止中であるときは、前記端末機器が停止状態であることを示す前記ＨＡモニタ信号を前記ＨＡ端子を介して前記コントローラに送信し、該運転が実行中であるときには、前記端末機器が動作状態であることを示す前記ＨＡモニタ信号を前記ＨＡ端子を介して前記コントローラに送信するモニタ信号送信手段を備えたことを特徴とする請求項１記載の熱源機のリモコン装置。
【請求項３】
使用者の操作に応じて、前記時間帯を変更する時間帯変更手段を備えたことを特徴とする請求項１又は請求項２記載の熱源機のリモコン装置。
【請求項４】
前記時間帯割当手段は、１２時間以下に設定した単位周期ごとに、該単位周期内で前記複数種類の運転に対して異なる時間帯を個別に割り当てることを特徴とする請求項１から請求項３のうちいずれか１項記載の熱源機のリモコン装置。
【発明の詳細な説明】
【技術分野】
【０００１】
本発明は、ＨＡ（ホームオートメーション）端子を備え、該ＨＡ端子を介して受信した制御信号に応じて熱源機を遠隔操作するリモコン装置に関する。
【背景技術】
【０００２】
従来より、熱源機のリモコン装置に、家庭内に設置されて電話回線と接続されたＨＡシステムのコントローラと通信するためのＨＡ端子（日本電子工業規格ＪＭＥ１４２３で規定）を備えたものが知られている。そして、かかるリモコン装置のＨＡ端子を専用ケーブルを介して前記コントローラに接続することで、使用者は、電話回線を介して前記コントローラに指令信号を送信することができる。
【０００３】
ここで、コントローラは、リモコン装置のＨＡ端子から送信されるＨＡモニタ信号により、操作対象となる端末機器が動作状態であるか停止状態であるかを認識し、リモコン装置に対して、該端末機器の動作状態と停止状態との切替を指示するＨＡ制御信号を送信する。そして、このように、コントローラは、１個のＨＡ端子に対して２つの状態（動作状態／停止状態）の切替を指示する信号を送信する機能しか持たないため、１個のＨＡ端子により操作が可能な端末機器は１台に限定される。
【０００４】
そのため、コントローラを介して、熱源機のリモコン装置により複数台の温水暖房機を操作するために、該複数台分の個数のＨＡ端子を備えた温水暖房システムが提案されている（例えば、特許文献１参照）。しかし、この場合には、コントローラとリモコン装置の各ＨＡ端子間を、複数本の専用ケーブルで接続しなければならず、配線工事の手間がかかるという不都合があった。
【０００５】
また、熱源機のリモコン装置に複数個のＨＡ端子を備えることで、リモコン装置のサイズが大きくなると共に、リモコン装置のコストも高くなるという不都合があった。
【特許文献１】特開平１０−１０３６８４号公報
【発明の開示】
【発明が解決しようとする課題】
【０００６】
本発明は上記背景を鑑みてなされたものであり、容易な配線工事により設置可能であって、ＨＡ制御信号の受信により熱源機に対して複数種類の運転の実行を指示することができるリモコン装置を、コストを抑えて提供することを目的とする。
【課題を解決するための手段】
【０００７】
本発明は上記目的を達成するためになされたものであり、加熱生成した温水の供給を伴う複数種類の運転を実行する熱源機を遠隔操作する熱源機操作手段と、使用者の通信端末機とネットワークを介して通信を行うホームオートメーション（ＨＡ）システムのコントローラとケーブルにより接続して、該通信端末機から受信した運転指示信号に応じて該コントローラから送信される、運転指示対象である端末機器の動作状態と停止状態との切換えを指示するＨＡ制御信号を受信すると共に、該端末機器が動作状態であるか停止状態であるかを示すＨＡモニタ信号を該コントローラに送信するための１個のＨＡ端子とを有する熱源機のリモコン装置に関する。
【０００８】
そして、計時手段と、前記複数種類の運転に対して、異なる時間帯を個別に割り当てる時間帯割当手段とを備え、前記熱源機操作手段は、前記計時手段による計時時刻が前記時間帯のいずれかに属しているときに、該計時時刻が属する時間帯が割り当てられた運転が停止中の状態で、前記コントローラから前記ＨＡ端子を介して前記ＨＡ制御信号を受信したときには、該運転を前記熱源機に実行させることを特徴とする。
【０００９】
かかる本発明によれば、前記時間帯割当手段により、前記複数種類の運転に対して異なる時間帯が個別に割り当てられる。そして、前記熱源機操作手段は、前記計時手段による計時時刻が前記時間帯のいずれかに属しているときに、該計時時刻が属する時間帯が割り当てられた運転が停止中の状態で、前記コントローラから前記ＨＡ端子を介して前記ＨＡ制御信号を受信したときには、該運転を前記熱源機に実行させる。そのため、使用者は、実行させたい運転に対して割り当てられた時間帯内で、前記通信端末機を操作して前記ＨＡ制御信号を前記コントローラに送信することにより、複数種類の運転の開始を指示することができる。
【００１０】
そして、この場合には、前記リモコン装置には１個のＨＡ端子を備えればよいため、前記複数種類の運転分の複数個のＨＡ端子を備える場合に比べて、前記リモコン装置のコストを下げることができる。また、前記コントローラと前記リモコン装置間の配線を、１個のＨＡ端子について行えばよいため、配線工事の手間を軽減することができる。
【００１１】
また、前記計時手段による計時時刻が前記時間帯のいずれかに属しているときに、該計時時刻が属する時間帯が割り当てられた運転が停止中であるときは、該割り当てられた運転を行う前記端末機器が停止状態であることを示す前記ＨＡモニタ信号を前記ＨＡ端子を介して前記コントローラに送信し、該運転が実行中であるときには、前記端末機器が動作状態であることを示す前記ＨＡモニタ信号を前記ＨＡ端子を介して前記コントローラに送信するモニタ信号送信手段を備えたことを特徴とする。
【００１２】
かかる本発明によれば、前記モニタ信号送信手段から前記コントローラに送信される前記ＨＡモニタ信号は、前記計時手段による計時時刻が属する時間帯が割り当てられた運転の状態（実行中／停止中）を反映したものとなる。そのため、使用者は、監視を希望する運転に割り当てられた時間帯に、前記通信端末機から前記コントローラにアクセスして前記ＨＡモニタ信号の受信状況を確認することで、各運転の実行状態を個別に監視することができる。
【００１３】
また、使用者の操作に応じて、前記時間帯を変更する時間帯変更手段を備えたことを特徴とする。
【００１４】
かかる本発明によれば、使用者の生活パターンに応じて、前記複数種類の運転の実行を指示する時間帯を任意に設定することができるため、使用者の使い勝手を良好なものとすることができる。
【００１５】
また、前記時間帯割当手段は、１２時間以下に設定した単位周期ごとに、該単位周期内で前記複数種類の運転に対して異なる時間帯を個別に割り当てることを特徴とする。
【００１６】
かかる本発明によれば、例えば前記単位周期を１時間に設定することで、使用者には、１時間が経過する毎に各運転の実行を指示する機会が与えられる。そのため、ある運転の実行を指示してから他の運転の実行を指示するまでの間隔を短くして、使用者の使い勝手を向上させることができる。
【発明を実施するための最良の形態】
【００１７】
本発明の実施の形態について、図１〜図８を参照して説明する。図１は本発明の熱源機のリモコン装置を含む温水供給システムの全体構成図、図２は図１に示したリモコン装置の構成図、図３はリモコン装置における複数種類の運転に対する時間帯の割り当ての態様を示した説明図、図４〜図６は複数種類の運転に対する時間帯の割り当て処理のフローチャート、図７は時間帯により制御及び監視の対象とする運転を切り換える処理のフローチャート、図８は湯張り運転の制御及び監視処理のフローチャートである。
【００１８】
図１を参照して、リモコン装置１は熱源機１０を遠隔操作するものであり、熱源機１０と通信ケーブル３０を介して接続されると共に、ホームオートメーション（ＨＡ）システムのコントローラであるＨＡコントローラ４０と通信ケーブル４３を介して接続されている。
【００１９】
熱源機１０は、マイクロコンピュータ等により構成される熱源機コントローラ１５により全体の作動が制御され、給湯管２０ａを介して浴槽２０やカラン（図示しない）等に湯を供給する給湯機能と、温水循環回路２１ａ，２４ａを介して温水暖房端末（本実施の形態では、床暖房機２１と温水ルームヒータ２４）に温水を供給する温水暖房機能とを備えている。また、熱源機１０は、通信ケーブル２３により床暖房機２１と接続され、通信ケーブル２６により温水ルームヒータ２４と接続されている。
【００２０】
床暖房機２１は、床面に配置された放熱パネルにより温水から放熱して室内を暖房する床暖房運転を実行し、床暖房運転の開始／停止を指示するための運転スイッチ２２ａと床暖房運転の実行中に点灯する運転ランプ２２ｂとを有する操作部２２を備えている。そして、床暖房運転の停止中に運転スイッチ２２ａが操作されたときに、床暖房機２１は、熱源機１０に対して温水の供給を要求する信号を送信して、床暖房運転を実行する。また、床暖房運転の実行中に運転スイッチ２２ａが操作されたときに、床暖房機２１は、熱源機１０に対して温水の供給停止を要求する信号を送信して、床暖房運転を停止する。
【００２１】
温水ルームヒータ２４は、供給される温水により加熱された空気をファン（図示しない）により温風として送出する温風暖房運転を実行し、温風暖房運転の開始／停止を指示する運転スイッチ２５ａと温風暖房運転の実行中に点灯する運転ランプ２５ｂとを有する操作部２５を備えている。そして、温風暖房運転の停止中に運転スイッチ２５ａが操作されたときに、温水ルームヒータ２４は、熱源機１０に対して温水の供給を要求する信号を送信して、温風暖房運転を実行する。また、温風暖房運転の実行中に運転スイッチ２５ａが操作されたときに、温水ルームヒータ２４は、熱源機１０に対して温水の供給停止を要求する信号を送信して、温風暖房運転を停止する。
【００２２】
ＨＡコントローラ４０は、コネクタ４１により電話回線５０と接続され、使用者により操作される通信端末機６０（固定電話機、携帯電話機等）から送信される端末機器の運転／停止を指示する信号（運転を指示する信号が本発明の運転指示信号に相当する）を受信する。また、ＨＡコントローラ４０は、コネクタ４２により通信ケーブル４３を介してリモコン装置１のＨＡ端子２と接続されている。
【００２３】
ここで、ＨＡコントローラ４０は、ＨＡ端子２を介して、１台の端末機器の状態（動作状態／停止状態）を監視すると共に該端末機器の動作状態と停止状態の切替えを指示する機能を備えている。具体的には、ＨＡコントローラ４０は、リモコン装置１のＨＡ端子２を介して送信されるＨＡモニタ信号のレベル（Ｈｉ／Ｌｏの２値レベル）により、端末機器が動作状態（ＨＡモニタ信号がＨighレベル）にあるか停止状態（ＨＡモニタ信号がＬowレベル）にあるかを監視する。
【００２４】
そして、ＨＡコントローラ４０は、端末機器が停止状態にあるときに、通信端末機６０から電話回線５０を介して端末機器の運転を指示する信号を受信したときは、ＨＡ制御信号（パルス信号）をリモコン装置１に送信して、端末機器の運転を開始させる。また、端末機器が動作状態にあるときに、通信端末機６０から端末機器の停止を指示する信号を受信したときにも、ＨＡ制御信号（パルス信号）をリモコン装置１に送信して、端末機器の運転を停止させる。
【００２５】
次に、図２を参照して、リモコン装置１は、熱源機１０の運転状態等を表示する表示部６０、種々の選択操作を行うためのＵＰスイッチ７０とＤＯＷＮスイッチ７１、追焚き運転の実行を指示するための追焚きスイッチ７２、浴槽２０に所定量の湯を供給する湯張り運転の実行を指示するための自動スイッチ７３、熱源機を運転状態と待機状態とに切替えるための運転スイッチ７４、複数種類の運転（湯張り運転、床暖房運転、温風暖房運転）に対して、ＨＡ端子２を介して監視／制御する時間帯を個別に割り当てるためのＨＡ選択スイッチ８０、スイッチ操作又は熱源機による各種運転の実行がなされない状態が所定時間以上継続したときに表示部６０を消灯するセーブモードの設定／解除を切替えるためのセーブスイッチ８１、ブザー９０の音量を変更するための音量スイッチ８２、湯張り運転の予約時刻を設定するためのふろ予約スイッチ８３、及び湯張り運転における給湯温度を設定するためのふろ温度スイッチ８４を備えている。
【００２６】
また、リモコン装置１は、マイクロコンピュータ等により構成されたリモコンコントローラ１００を備え、該リモコンコントローラ１００によりリモコン装置１全体の作動が制御される。そして、リモコンコントローラ１００は、各スイッチの操作に応じて熱源機１０の作動を制御する熱源機操作手段１０１、ＨＡ選択スイッチ８０とＵＰスイッチ７０及びＤＯＷＮスイッチ７１の操作に応じて、各運転（湯張り運転、床暖房運転、温風暖房運転）に対して異なる時間帯を個別に割り当てる時間帯割当手段１０２、各時間帯において、各時間帯が割り当てられた運転が実行中であるときに動作状態を示すＨｉレベルのＨＡモニタ信号をＨＡ端子２から送信すると共に、該運転が停止中であるときに停止状態を示すＬｏレベルのＨＡモニタ信号をＨＡ端子２を介して送信するモニタ信号送信手段１０３、熱源機１０との間で信号の送受信を行うための熱源機通信回路１０４、及びＨＡコントローラ４０との間で信号の送受信を行うためのＨＡ通信回路１０５を備えている。
【００２７】
ここで、図３（ａ）は、各運転（湯張り運転、床暖房運転、温風暖房運転）に対する時間帯を０〜２４時の範囲内で割り当てる態様による例を示しており、床暖房運転に対して図中Ａ1（19:00〜19:59）の時間帯が割り当てられ、温風暖房運転に対して図中Ｂ1（20:00〜20:59）の時間帯が割り当てられ、湯張り運転に対して図中Ｃ1（21:00〜22:59）の時間帯が割り当てられている。なお、以下において、湯張り運転に割り当てられた時間帯を湯張り時間帯、床暖房運転に割り当てられた時間帯を床暖房時間帯、温風暖房運転に割り当てられた時間帯を温風暖房時間帯という。
【００２８】
この場合、使用者は、通信端末機６０により、床暖房時間帯Ａ1においては床暖房運転の開始／停止の指示と床暖房運転の実行中／停止中の監視をすることができる。また、温風暖房時間帯Ｂ1においては温風暖房運転の開始／停止の指示と温風暖房運転の運転中／停止中の監視をすることができ、湯張り時間帯Ｃ1においては湯張り運転の開始／停止の指示と湯張り運転の運転中／停止中の監視をすることができる。
【００２９】
また、図３（ｂ）は、各運転（湯張り運転、床暖房運転、温風暖房運転）に対して時間帯を１時間を単位周期として０〜６０分の範囲内で割り当てる態様による例を示しており、床暖房運転に対して図中Ａ2（20min〜39min）の時間帯が割り当てられ、温風暖房運転に対して図中Ｂ2（40min〜59min）の時間帯が割り当てられ、湯張り運転に対して図中Ｃ2（0min〜19min）の時間帯が割り当てられている。
【００３０】
この場合、使用者は、１時間毎に到来する床暖房時間帯Ａ2において、通信端末機６０により床暖房運転の開始／停止の指示と床暖房運転の実行中／停止中の監視をすることができる。同様に、１時間毎に到来する温風暖房時間帯Ｂ2においては温風暖房運転の開始／停止の指示と温風暖房運転の実行中／停止中の監視をすることができ、１時間毎に到来する湯張り時間帯Ｃ2においては湯張り運転の開始／停止の指示と湯張り運転の実行中／停止中の監視をすることができる。なお、単位周期は１時間に限られず、１２時間以下で、２時間、３時間、４時間、６時間等に設定してもよい。
【００３１】
次に、図４〜図６に示したフローチャートに従って、時間帯割当手段１０２（図２参照）により、上述した図３（ａ）の態様で、湯張り時間帯と床暖房時間帯と温風暖房時間帯を割り当てる具体的な処理について説明する。
【００３２】
先ず、図４のＳＴＥＰ１〜ＳＴＥＰ８及びＳＴＥＰ３０，ＳＴＥＰ４０は、湯張り時間帯を割り当てる処理である。時間帯割当手段１０２は、図４のＳＴＥＰ１でＨＡ選択スイッチ８０が操作されたときにＳＴＥＰ２に進む。そして、時間帯割当手段１０２は、表示部６０の運転表示部６０ａの「ＨＡ湯張り」と時計表示部６０ｂを点滅パターン１（0.5秒点灯−0.5秒消灯の繰り返し等）で表示して、使用者に湯張り時間帯の開始時刻の設定モードであることを報知する。
【００３３】
なお、図４〜図６の時間帯の割り当てを行う処理が行われていない状態では、表示部６０の運転表示部６０ａは全て点灯状態とされるか、或いは、全て消灯状態とされる。
【００３４】
続くＳＴＥＰ３で、時間帯割当手段１０２は、ＨＡ選択スイッチ８０が操作されるまで、ＳＴＥＰ３０に分岐して、ＵＰスイッチ７０及びＤＯＷＮスイッチ７１の操作に応じて時計表示部６０ｂの時刻表示を進め又は遅らせる。そして、ＨＡ選択スイッチ８０が操作されたときにＳＴＥＰ４に進み、時間帯割当手段１０２は、その時点で時計表示部６０ｂに表示されている時刻を湯張り時間帯の開始時刻として確定する。
【００３５】
次のＳＴＥＰ５で、時間帯割当手段１０２は、表示部６０の運転表示部６０ａの「ＨＡ湯張り」と時計表示部６０ｂを上記点滅パターン１と異なる点滅パターン２（0.2秒点灯−0.2秒消灯の繰り返し等）で表示して、使用者に湯張り時間帯の終了時刻の設定モードであることを報知する。
【００３６】
続くＳＴＥＰ６で、時間帯割当手段１０２は、ＨＡ選択スイッチ８０が操作されるまで、ＳＴＥＰ４０に分岐して、ＵＰスイッチ７０及びＤＯＷＮスイッチ７１の操作に応じて時計表示部６０ｂの時刻表示を進め又は遅らせる。そして、ＨＡ選択スイッチ８０が操作されたときにＳＴＥＰ７に進み、時間帯割当手段１０２は、その時点で時計表示部６０ｂに表示されている時刻を湯張り時間帯の終了時刻として確定する。また、ＳＴＥＰ８で、時間帯割当手段１０２は、表示部６０の運転表示部６０ａの「ＨＡ湯張り」と時計表示部６０ｂを点滅表示から点灯表示に切換えて、使用者に湯張り時間帯の割り当てが完了したことを報知する。
【００３７】
続く図５のＳＴＥＰ９〜ＳＴＥＰ１６とＳＴＥＰ５０，ＳＴＥＰ６０は、床暖房時間帯を割り当てる処理である。時間帯割当手段１０２は、ＳＴＥＰ９でＨＡ選択スイッチ８０が操作されたときにＳＴＥＰ１０に進む。そして、時間帯割当手段１０２は、表示部６０の運転表示部６０ａの「ＨＡ床暖房」と時計表示部６０ｂを前記点滅パターン１で表示して、使用者に床暖房時間帯の開始時刻の設定モードであることを報知する。
【００３８】
続くＳＴＥＰ１１で、時間帯割当手段１０２は、ＨＡ選択スイッチ８０が操作されるまで、ＳＴＥＰ５０に分岐して、ＵＰスイッチ７０及びＤＯＷＮスイッチ７１の操作に応じて時計表示部６０ｂの時刻表示を進め又は遅らせる。なお、各運転に対して割り当てられる時間帯が重複しないようにするために、既に割り当てられた湯張り時間帯を飛ばして時刻表示がなされる。
【００３９】
そして、ＨＡ選択スイッチ８０が操作されたときにＳＴＥＰ１２に進み、時間帯割当手段１０２は、その時点で時計表示部６０ｂに表示されている時刻を床暖房時間帯の開始時刻として確定する。
【００４０】
次のＳＴＥＰ１３で、時間帯割当手段１０２は、表示部６０の運転表示部６０ａの「ＨＡ床暖房」と時計表示部６０ｂを上記点滅パターン２で表示して、使用者に床暖房時間帯の終了時刻の設定モードであることを報知する。
【００４１】
続くＳＴＥＰ１４で、時間帯割当手段１０２は、ＨＡ選択スイッチ８０が操作されるまで、ＳＴＥＰ６０に分岐して、ＵＰスイッチ７０及びＤＯＷＮスイッチ７１の操作に応じて時計表示部６０ｂの時刻表示を進め又は遅らせる。なお、各運転に対して割り当てられる時間帯が重複しないようにするために、既に割り当てられた湯張り時間帯を飛ばして時刻表示がなされる
そして、ＨＡ選択スイッチ８０が操作されたときにＳＴＥＰ１５に進み、時間帯割当手段１０２は、その時点で時計表示部６０ｂに表示されている時刻を床暖房時間帯の終了時刻として確定する。また、ＳＴＥＰ１６で、時間帯割当手段１０２は、表示部６０の運転表示部６０ａの「ＨＡ床暖房」と時計表示部６０ｂを点滅表示から点灯表示に切換えて、使用者に床暖房時間帯の割り当てが完了したことを報知する。
【００４２】
続く図６のＳＴＥＰ１７〜ＳＴＥＰ２４とＳＴＥＰ７０，ＳＴＥＰ８０は、温風暖房時間帯を割り当てる処理である。時間帯割当手段１０２は、ＳＴＥＰ１７でＨＡ選択スイッチ８０が操作されたときにＳＴＥＰ１８に進む。そして、時間帯割当手段１０２は、表示部６０の運転表示部６０ａの「ＨＡルームヒータ」と時計表示部６０ｂを前記点滅パターン１で表示して、使用者に温風暖房時間帯の開始時刻の設定モードであることを報知する。
【００４３】
続くＳＴＥＰ１９で、時間帯割当手段１０２は、ＨＡ選択スイッチ８０が操作されるまで、ＳＴＥＰ７０に分岐して、ＵＰスイッチ７０及びＤＯＷＮスイッチ７１の操作に応じて時計表示部６０ｂの時刻表示を進め又は遅らせる。なお、各運転に対して割り当てられる時間帯が重複しないようにするために、既に割り当てられた湯張り時間帯と床暖房時間帯を飛ばして時刻表示がなされる。
【００４４】
そして、ＨＡ選択スイッチ８０が操作されたときにＳＴＥＰ２０に進み、時間帯割当手段１０２は、その時点で時計表示部６０ｂに表示されている時刻を温風暖房時間帯の開始時刻として確定する。
【００４５】
次のＳＴＥＰ２１で、時間帯割当手段１０２は、表示部６０の運転表示部６０ａの「ＨＡルームヒータ」と時計表示部６０ｂを上記点滅パターン２で表示して、使用者に温風暖房時間帯の終了時刻の設定モードであることを報知する。
【００４６】
続くＳＴＥＰ２２で、時間帯割当手段１０２は、ＨＡ選択スイッチ８０が操作されるまで、ＳＴＥＰ８０に分岐して、ＵＰスイッチ７０及びＤＯＷＮスイッチ７１の操作に応じて時計表示部６０ｂの時刻表示を進め又は遅らせる。なお、各運転に対して割り当てられる時間帯が重複しないようにするために、既に割り当てられた湯張り時間帯と床暖房時間帯を飛ばして時刻表示がなされる。
【００４７】
そして、ＨＡ選択スイッチ８０が操作されたときにＳＴＥＰ２３に進み、時間帯割当手段１０２は、その時点で時計表示部６０ｂに表示されている時刻を温風暖房時間帯の終了時刻として確定する。また、ＳＴＥＰ２４で、時間帯割当手段１０２は、表示部６０の運転表示部６０ａの「ＨＡルームヒータ」と時計表示部６０ｂを点滅表示から点灯表示に切換えて、使用者に温風暖房時間帯が割り当てられたことを報知する。
【００４８】
以上説明した図４〜図６の処理により、湯張り時間帯、床暖房時間帯、及び温風暖房時間帯が異なる時間帯に割り当てられる。なお、図３（ｂ）に示した１時間を単位周期として時間帯を割り当てる場合は、図４〜図６のＳＴＥＰ３０，ＳＴＥＰ４０，ＳＴＥＰ５０，ＳＴＥＰ６０，ＳＴＥＰ７０，ＳＴＥＰ８０における表示が、０〜６０分に限定され、０〜６０分の中で各時間帯が割り当てられる。
【００４９】
なお、以上説明した図４〜図６の処理により、使用者によるＨＡ選択スイッチ８０とＵＰスイッチ７０及びＤＯＷＮスイッチ７１の操作に応じて、時間帯割当手段１０２が、湯張り時間帯と床暖房時間帯と温風暖房時間帯を割り当てる構成が、本発明の時間帯割当手段に相当する。
【００５０】
次に、図７及び図８に示したフローチャートに従って、熱源機操作手段１０１による各運転（湯張り運転、床暖房運転、温風暖房運転）の運転開始／停止処理と、モニタ信号送信手段１０３によるＨＡモニタ信号の出力処理について説明する。
【００５１】
熱源機操作手段１０１は、図７のＳＴＥＰ１００で計時手段１０６による計時時刻を取得し、次のＳＴＥＰ１０１で、計時時刻が湯張り時間帯に属するか否かを判断する。そして、計時時刻が湯張り時間帯に属するときはＳＴＥＰ１１０に分岐して「湯張り対応処理」を実行し、計時時刻が湯張り時間帯に属しないときにはＳＴＥＰ１０２に進む。
【００５２】
ＳＴＥＰ１０２で、熱源機操作手段１０１は、計時時刻が床暖房時間帯に属するか否かを判断する。そして、計時時刻が床暖房時間帯に属するときはＳＴＥＰ１２０に分岐して「床暖房対応処理」を実行し、計時時刻が床暖房時間帯に属しないときにはＳＴＥＰ１０３に進む。
【００５３】
ＳＴＥＰ１０３で、熱源機操作手段１０１は、計時時刻が温風暖房時間帯に属するか否かを判断する。そして、計時時刻が温風暖房時間帯に属するときはＳＴＥＰ１３０に分岐して「温風運転対応処理」を実行し、計時時刻が温風暖房時間帯に属しないときにはＳＴＥＰ１００に進む。
【００５４】
このように、熱源機操作手段１０１は、計時手段１０６による計時時刻が、湯張り時間帯、床暖房時間帯、温風暖房時間帯のうちのいずれに属するかによって、「湯張り対応処理」と「床暖房対応処理」と「温風暖房対応処理」を切換えて実行する。
【００５５】
次に、図８に示したフローチャートに従って、「湯張り対応処理」の実行手順について説明する。図８のＳＴＥＰ１５０〜ＳＴＥＰ１５１及びＳＴＥＰ１６０はモニタ信号送信手段１０３による処理であり、モニタ信号送信手段１０３は、ＳＴＥＰ１５０で湯張り運転が停止中であるか否かを判断する。
【００５６】
そして、モニタ信号送信手段１０３は、湯張り運転が停止中であるときはＳＴＥＰ１５１に進み、動作状態を示すＨighレベルのＨＡモニタ信号ｍｓを、ＨＡ通信回路１０５（図２参照）を介してＨＡコントローラ４０に送信する。一方、湯張り運転が実行中であるときにはＳＴＥＰ１６０に進み、モニタ信号送信手段１０３は、停止状態を示すＬowレベルのＨＡモニタ信号ｍｓを、ＨＡ通信回路１０５を介してＨＡコントローラ４０に送信する。
【００５７】
これにより、使用者が湯張り時間帯に通信端末機６０を操作してＨＡコントローラ４０にアクセスしたときに、ＨＡコントローラ４０は、ＨＡモニタ信号に基づいて、湯張り運転が実行中であるか停止中であるかを示すデータを通信端末機６０に送信することができる。そして、該データを視認することで、使用者は湯張り運転が実行中であるか停止中であるかを確認することができる。
【００５８】
続くＳＴＥＰ１５２〜ＳＴＥＰ１５４及びＳＴＥＰ１７０は、熱源機操作手段１０１による処理である。熱源機操作手段１０１は、ＳＴＥＰ１５２で、ＨＡ端子２を介してＨＡコントローラ４０からＨＡ制御信号ｃｓを受信したか否かを判断する。そして、ＨＡ制御信号ｃｓを受信したときはＳＴＥＰ１５３に進む。一方、ＨＡ制御信号ｃｓを受信しなかったときにはＳＴＥＰ１５６に進んで「湯張り対応処理」を終了する。
【００５９】
ＳＴＥＰ１５３で、熱源機操作手段１０１は、湯張り運転が停止中であるか否かを判断する。そして、湯張り運転が停止中であったときはＳＴＥＰ１５４に進み、熱源機通信回路１０４（図２参照）を介して熱源機１０に湯張り運転の開始を指示する信号を送信する。これにより、熱源機１０により湯張り運転が開始される。また、次のＳＴＥＰ１５５で、モニタ信号送信手段１０３により、動作状態を示すＨighレベルのＨＡモニタ信号がＨＡコントローラ４０に送信される。
【００６０】
一方、湯張り運転が停止中でなかったとき、すなわち湯張り運転が実行中であったときにはＳＴＥＰ１７０に分岐し、熱源機操作手段１０１は、熱源機通信回路１０４を介して熱源機１０に湯張り運転の停止を指示する信号を送信する。これにより、熱源機１０により実行されていた湯張り運転が停止する。また、次のＳＴＥＰ１７１で、モニタ信号送信手段１０３により、停止状態を示すＬowレベルのＨＡモニタ信号がＨＡコントローラ４０に送信される。
【００６１】
ＳＴＥＰ１５２〜ＳＴＥＰ１５４及びＳＴＥＰ１７０の処理により、使用者は、湯張り時間帯に通信端末機６０を操作して端末機器の運転／停止を指示する信号をＨＡコントローラ４０に送信することによって、湯張り運転の開始と停止を指示することができる。
【００６２】
なお、「床暖房対応処理」と「温風暖房対応処理」については、図８に示した「湯張り対応処理」と同様であるので説明を省略するが、「床暖房対応処理」においては、ＨＡ制御信号の受信により熱源機１０に対して床暖房運転の開始又は停止の指示がなされ、床暖房運転の運転／停止の状態に応じてＨＡモニタ信号の出力レベルが切換わる。同様に、「温風暖房対応処理」においては、ＨＡ制御信号の受信により熱源機１０に対して温風暖房運転の開始と停止の指示がなされ、温風暖房運転の運転／停止の状態に応じてＨＡモニタ信号の出力レベルが切換わる。
【００６３】
そのため、使用者は、湯張り時間帯においては湯張り運転の開始／停止の指示と湯張り運転の実行中／停止中の監視をすることができ、床暖房時間帯においては床暖房運転の開始／停止の指示と床暖房運転の実行中／停止中の監視をすることができ、温風暖房時間帯においては温風暖房運転の開始／停止の指示と温風暖房運転の実行中／停止中の監視をすることができる。
【００６４】
そして、これらの運転の開始／停止の指示と実行中の停止中の監視を、リモコン装置１に備えた１個のＨＡ端子２を介して行うことができるため、各運転に対して個別にＨＡ端子を備える場合に対して、リモコン装置１のコストダウンと小型化を図ることができる。
【００６５】
なお、本実施の形態では、複数種類の運転に対して時間帯を割り当てる態様として、図３（ａ）に示した０〜２４時の範囲で時間帯を割り当てる態様と、図３（ｂ）に示した０〜６０minの範囲で時間帯を割り当てる態様とを示したが、時間帯を割り当てる態様はこれらに限られず、例えば３０分を単位周期として時間帯を割り当てる等、多様な態様で各運転に時間帯を割り当てて本発明を実施することができる。
【００６６】
また、本実施の形態では、本発明の温水の供給を伴う複数種類の運転として、湯張り運転と床暖房運転と温風暖房運転を示したが、温水の供給を伴うものであれば、他の種類の運転に対しても本発明の適用が可能である。
【００６７】
また、本実施の形態では、ＨＡ選択スイッチ８０とＵＰスイッチ７０及びＤＯＷＮスイッチ７１の操作により、湯張り時間帯と床暖房時間帯と温風暖房時間帯を設定、変更できるようにしたが、これらの時間帯を予め設定した固定時間としてもよい。
【００６８】
また、本実施の形態では、いずれかの運転が割り当てられた時間帯に、ＨＡ制御信号を受信したときに、該時間帯が割り当てられた運転が実行中であったときには、該運転を停止するようにしたが、該ＨＡ制御信号を受信しても該運転を継続するようにしてもよい。
【図面の簡単な説明】
【００６９】
【図１】本発明の熱源機のリモコン装置が使用された温水供給システムの全体構成図。
【図２】図１に示したリモコン装置の構成図。
【図３】リモコン装置における複数種類の運転に対する時間帯の割り当ての態様を示した説明図。
【図４】複数種類の運転に対する時間帯の割り当て処理のフローチャート。
【図５】複数種類の運転に対する時間帯の割り当て処理のフローチャート。
【図６】複数種類の運転に対する時間帯の割り当て処理のフローチャート。
【図７】時間帯により制御及び監視の対象とする運転を切換える処理のフローチャート。
【図８】湯張り運転の制御及び監視処理のフローチャート。
【符号の説明】
【００７０】
１…リモコン装置、２…ＨＡ端子、１０…熱源機、２０…浴槽、２１…床暖房機、２４…温水ルームヒータ、４０…ＨＡコントローラ、５０…電話回線、６０…通信端末機、１００…リモコンコントローラ、１０１…熱源機操作手段、１０２…時間帯割当手段、１０３…モニタ信号送信手段、１０４…熱源機通信回路、１０５…ＨＡ通信回路、１０６…計時手段
【図１】
2008128501.tif 000003
【図２】
2008128501.tif 000004
【図３】
2008128501.tif 000005
【図４】
2008128501.tif 000006
【図５】
2008128501.tif 000007
【図６】
2008128501.tif 000008
【図７】
2008128501.tif 000009
【図８】
2008128501.tif 000010